(57)【要約】      （修正有）【課題】散髪にて発生する髪片の廃棄に便利な散髪用のケープを提供する。【解決手段】剛性を有する環状のリング部１を設け、リング部を覆うとともにリング部に連続して上方への立ち上がりが可能な略中空円錐台形状のシート体によるケープ部２を設ける。ケープ部上縁に、その一部が開閉および係止可能なる首固定部３を設け、リング部にはその両端が固定される一対の吊り紐５を設け、吊り紐中央およびケープ部適所に、相互係止可能なる係止手段を設ける。【選択図】図６
0003186900.tif 000002
【実用新案登録請求の範囲】
【請求項１】
剛性を有する環状のリング部を設け、該リング部を覆うとともにリング部に連続して上方への立ち上がりが可能なる略中空円錐台形状のシート体によるケープ部を設け、該ケープ部上縁に、その一部が開閉および相互係止可能なる首固定部を設け、前記リング部にその両端が固定される一対の吊り紐を設け、該吊り紐中央およびケープ部適所に、相互係止可能なる係止手段を設けたことを特徴とする散髪用環状ケープ。
【請求項２】
吊り紐の係止手段をスナップとしてなる請求項１記載の散髪用環状ケープ。
【請求項３】
ケープ部にスライドファスナーを設けてなる請求項１または２記載の散髪用環状ケープ。
【請求項４】
首固定部の開閉および相互係止のための手段を、スナップとしてなる請求項１〜３のいずれかの項に記載の散髪用環状ケープ。
【考案の詳細な説明】
【技術分野】
【０００１】  この考案は、家庭等で散髪するときに用いて便利なる、散髪用のケープに関する。
【背景技術】
【０００２】  従来より、家庭用のケープが市販され利用されているが、本案にて示すように、吊り紐の着脱手段およびスライドファスナーを具備したものは見あたらない。
【考案の概要】
【考案が解決しようとする課題】
【０００３】  散髪する場合、理美容店を利用するかあるいは自ら家庭内にて行うかのいずれかである。
前者の場合、専用のイスに腰掛けて、専用のマントやケープを着用して行う。これらのマント等は散髪後の髪を留める手段がないので、切った髪は床面に散乱し、後にこれを集めて捨てることになる。後者の場合においては、散髪にて切られた髪の床上への散乱を防ぐために、市販の散髪用ケープが利用されている。
この散髪用ケープは、略楕円形状の金属芯線により作られる形状に、布体もしくは合成樹脂シート体を縫いつけて、上方へ略中空円錐台形状に立ち上がるケープ部を形成して、そのすぼまった上縁に、面ファスナーによる首回り固定部分を設け、前記の金属芯線部分をやや上方へ吊り上げるための２本の吊り紐をケープ適所への縫着にて構成されている。
これを人体に着用すると、ケープ部が凹んだ形となって、切った髪をこの凹みに留め置き、散髪後にこの凹み内の髪を捨てることにて、髪の床上への散乱が防止されるというものである。しかし、以下のような問題がある。
すなわち、凹み内の髪を捨てるとき、人体から外したこのケープを、床上等に広げて敷いた紙やシートの上に逆さにして振り落とさねばならないのである。この作業時において、要領が必要であるとともに、振り落とす場合に髪が飛び散らないように注意が必要であり、煩わしい作業となるのである。さらに、吊り紐がケープに縫着されているので、この吊り紐も髪を振り落とすときのじゃまになるのである。
本案は以上に鑑み、切った髪の廃棄に便利なるしくみを発案したものであり、吊り紐の着脱手段とスライドファスナーの利用にて目的を達するよう構成した便利なる散髪用品を提供するものである。
【課題を解決するための手段】
【０００４】  課題を解決する手段として本案は以下の構成とした。
すなわち、剛性を有する環状のリング部を設け、該リング部を覆うとともにリング部に連続して上方への立ち上がりが可能なる略中空円錐台形状のシート体によるケープ部を設け、該ケープ部上縁に、その一部が開閉および相互係止可能なる首固定部を設け、前記リング部にその両端が固定される一対の吊り紐を設け、該吊り紐中央およびケープ部適所に、相互係止可能なる係止手段を設ける。本案は以上の構成よりなる散髪用環状ケープである。
【考案の効果】
【０００５】  本案によれば、吊り紐の着脱ができるので、切った髪の廃棄時において、ケープ部を筒状逆円錐形にすることができるので、スムースに排出させることができる。また、ケープ部にスライドファスナーを設けることにて、髪の廃棄時における吊り紐の着脱に加えて、ケープ部を大きく開口することが可能となり、さらに容易に髪を排出させることのできる、有用なる物品を得ることができる。
【図面の簡単な説明】
【０００６】
【図１】  本考案の平面図（ケープ部非立ち上げ状態）
【図２】  本考案の正面図（ケープ部非立ち上げ状態）
【図３】  本考案の正面図（ケープ部立ち上げ状態）
【図４】  本考案の他例の右側面図（ケープ部立ち上げ状態）
【図５】  本考案の正面図（ケープ部逆転時・一部略）
【図６】  本考案の他例における正面図（ケープ部立ち上げ状態）
【考案を実施するための最良の形態】
【０００７】  以下、本考案の実施形態について説明する。
図において、１はリング部で、弾力を有する鋼線を平面視にて略楕円形状に形成した部分であり、後述のケープ部シート体にて縫着される。２はケープ部で、合成樹脂によるシート体を略中空円錐台形状として、その下端を別布を介して前記の鋼線を覆うように縫着している。３は首固定部で、前記のケープ部上縁を所定巾の別布にて環状に縫着するとともに、首固定部からケープ部下方に向かう部分適所を非縫着として、この首固定部内面に面ファスナー４を設けて開閉可能としている。従って、この面ファスナーを開くと首固定部は広がるので、頭を通すことができ、この首固定部を首にピッタリとあてがってから面ファスナーにて本案の散髪用ケープを人体に装着することが可能となる。５は吊り紐である。この吊り紐は、リング部短径よりやや短い細巾布体であって、リング部中心から長径端位置に至る中間の位置にて、リング部にその両端が縫着される一対の部分である。
６は吊り紐係止手段としての市販のスナップで、ケープ部適所と吊り紐中央裏面に各々縫着される。以上が、本案の一実施形態である。【０００８】  次に、本案の使用について説明する。
本案の使用に際しては、まずスナップにて吊り紐をケープに固定する。次に、首固定部の面ファスナーを開いて、ここに頭を通して首固定部を首外面にピッタリと密着させる。
この状態にて、首下周囲にケープ部およびリング部が位置している。なお、リング部の長径方向は肩の方向である。吊り紐にてリング部は少し持ち上げられるので、このリング部近傍のケープ部はリング部よりやや下方に位置して、凹みが形成される。
以上で準備が整い、散髪作業を行う。切った髪は落下してこの凹みにたまるので、床面への散乱は防止される。散髪終了後は、まず面ファスナーを開いてこの首固定部を頭上に持ち上げて人体から外す。そして首固定部を持ったまま髪を捨てる個所や容器上にこのケープ中央を持って行き、吊り紐のスナップを解除してケープ部面より吊り紐中央のスナップを自由とし、首固定部を下方に押し下げる。するとこの首固定部は逆円錐形状となるので、この逆さになった首固定部から髪を落下させて捨てることができる。捨てた後は、既述と逆手順にて初期状態として再使用することができる。【０００９】  図４および図６は本案の他例を示すものである。本例は、既述の構成に加えてケープ部の適所において、首固定部からケープ部下部に至るスライドファスナー７を対向配置したものである。このスライドファスナーは、切った髪の排出作業を容易とするためのものである。既述の例では、ケープ部を逆さにして、首固定部の空隙より髪を落下させるものとしたのであるが、従来品よりは改善されてはいるもののまだ不十分であるとの考察から、本例が発案されたものである。すなわち、髪の排出時において、上記のスライドファスナーを開くことにて、ケープ部は大きく開口してこの開口より髪をスムースに落下させて、廃棄することができるのである。【００１０】  以上、本案について記したが、本案は吊り紐の着脱機能、スライドファスナーの具備にて、散髪後の髪の廃棄を容易にすることのできる利便性を有するところにその特徴を有するものである。従来は既述のように、吊り紐は縫着されているので、髪の廃棄時にこの吊り紐がじゃまとなってスムースな排出を妨げていた。また、ケープ部を天地逆にして廃棄するために、髪の散乱がおきやすく、不便であった。しかるに本案は、吊り紐の着脱ができ、さらにスライドファスナーを設けているので、ケープ部を天地逆にしないで、そのまま下向きの円錐形にするだけで、髪をスムースに排出できるものとなったのである。
なお、記述例においては、スライドファスナーを対向して２個設けたが、１個でも有効に排出することができる。また、吊り紐をスナップ係止としたが、ボタンその他の手段による係止としてもよい。さらに、首固定部の係止手段として、面ファスナーに代えてスナップによる係止としてもよい。例えば、肌に触れる部分にはスナップの雌片を、肌に触れない部分にはスナップの雄片など使い分けると好適である。なお、スライドファスナーの取り付け位置は適宜に選択することができ、例えば、正面位置としても良い。
以上のごとく、本案にて切った髪の排出に便利なる有用なる物品を得ることができる。
【符号の説明】
【００１１】  １  リング部
２  ケープ部
３  首固定部
４  面ファスナー
５  吊り紐
６  スナップ
７  スライドファスナー
【図１】
0003186900.tif 000003
【図２】
0003186900.tif 000004
【図３】
0003186900.tif 000005
【図４】
0003186900.tif 000006
【図５】
0003186900.tif 000007
【図６】
0003186900.tif 000008